【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
２またはそれ以上のネットワーク間での複数のアドレス・アクセスを可能にすることを容易にする方法であって、
ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせることと、
前記第１のネットワークの登録を維持しながら、前記ホーム・エージェントへのＰＭＩＰ登録を用いて、前記ＵＥを第２のネットワークへアタッチさせることと、
前記ホーム・エージェントへのＰＭＩＰ登録が期限切れになっているか否か、および、前記ＵＥが、新たな非登録トラッキング・エリアを受信するエリアへ移動したことを検出するか否か、を判定することと、
前記ＰＭＩＰ登録が期限切れになっておらず、かつ、前記ＵＥが新たな非登録トラッキング・エリアを受信するエリアへ移動したことを検出しなければ、再登録を実行することなく、前記ＵＥが、前記第１のネットワークと前記第２のネットワークとの間で、シグナリングが生成されないモードであるアイドル・モードで移動できるようにすることと、
前記ＵＥへ向けられたダウンリンク・データ・パケット、あるいは、前記ＵＥからのアップリンク・データ・パケットのうちの少なくとも１つであるデータの一部を受信することと、
前記第１のネットワークまたは前記第２のネットワークのうちの１つに存在する前記ＵＥへ、前記データの一部を送信することとを備え、
前記ＵＥが存在するネットワークは、前記ＵＥからの受信されたアクティブ・モード・インジケーション、あるいは、前記ＵＥからの受信されたページ応答のうちの少なくとも１つによって識別される方法。
【請求項２】
前記データの一部が、前記ダウンリンク・データ・パケットである場合さらに、
前記第１のネットワークおよび前記第２のネットワークにおいて前記ＵＥをページすることと、
前記第１のネットワークまたは前記第２のネットワークのうちの１つに存在するＵＥから、前記ページ応答を受信することと、
前記ページ応答が受信されたネットワーク内のＵＥへ、前記ダウンリンク・データ・パケットを送信することと
を備える請求項１に記載の方法。
【請求項３】
前記データの一部が前記アップリンク・データ・パケットである場合さらに、
前記第１のネットワークまたは前記第２のネットワークのうちの１つに存在するＵＥから、前記アクティブ・モード・インジケーションを受信することと、
前記アクティブ・モード・インジケーションが受信されたネットワーク内のＵＥと通信することと
を備える請求項１に記載の方法。
【請求項４】
前記第１のネットワークは、３Ｇネットワークであり、前記第２のネットワークは、ＣＤＭＡ２０００ネットワークである請求項１に記載の方法。
【請求項５】
前記第１のネットワークおよび前記第２のネットワークは、３Ｇネットワーク、ＣＤＭＡ２０００ネットワーク、およびＵＭＴＳネットワークの組み合わせである請求項１に記載の方法。
【請求項６】
前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックすることをさらに備える請求項１に記載の方法。
【請求項７】
前記アクティブ・モード・インジケーションまたは前記ページ応答のうちの少なくとも１つを受信することに基づいて、プロキシ・バインディング更新（ＰＢＵ）を前記ホーム・エージェントへ送信することをさらに備える請求項１に記載の方法。
【請求項８】
前記ＰＢＵは、前記ＵＥが存在しないネットワークに関するＰＭＩＰ登録を削除する請求項７に記載の方法。
【請求項９】
前記ＵＥからアイドル・モード・インジケーションを受信することに基づいて、前記ホーム・エージェントへＰＢＵを送信することをさらに備える請求項８に記載の方法。
【請求項１０】
前記ＰＢＵは、前記ＵＥが存在しないネットワークに関するＰＭＩＰ登録を追加する請求項９に記載の方法。
【請求項１１】
前記第１のネットワークおよび前記第２のネットワークは、３ＧＰＰアクセス・ネットワークあるいは非３ＧＰＰアクセス・ネットワークのうちの少なくとも１つである請求項１に記載の方法。
【請求項１２】
前記ＰＭＩＰプロトコルは、ゲートウェイと前記ホーム・エージェントとの間で有効である請求項１１に記載の方法。
【請求項１３】
３ＧＰＰパケット・データ・ネットワーク・ゲートウェイ（ＰＤＮ  ＧＷ）にＰＭＩＰホーム・エージェントが含まれる請求項１２に記載の方法。
【請求項１４】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項１３に記載の方法。
【請求項１５】
第１のネットワークまたは第２のネットワークを介してユーザ機器（ＵＥ）と通信するように構成された通信装置であって、
メモリと、
前記メモリに結合されている少なくとも１つのプロセッサとを備え、
前記少なくとも１つのプロセッサは、
ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせ、
前記第１のネットワークの登録を維持しながら、前記ホーム・エージェントへのＰＭＩＰ登録を用いて、前記ＵＥを第２のネットワークへアタッチさせ、
前記ホーム・エージェントへのＰＭＩＰ登録が期限切れになっているか否か、および、前記ＵＥが、新たな非登録トラッキング・エリアを受信するエリアへ移動したことを検出するか否か、を判定し、
前記ＰＭＩＰ登録が期限切れになっておらず、かつ、前記ＵＥが新たな非登録トラッキング・エリアを受信するエリアへ移動したことを検出しなければ、再登録を実行することなく、前記ＵＥが、前記第１のネットワークと前記第２のネットワークとの間で、シグナリングが生成されないモードであるアイドル・モードで移動できるようにし、
前記ＵＥへ向けられたダウンリンク・データ・パケット、あるいは、前記ＵＥからのアップリンク・データ・パケットのうちの少なくとも１つであるデータの一部を受信し、
前記第１のネットワークまたは前記第２のネットワークのうちの１つに存在する前記ＵＥへ、前記データの一部を送信する
ように構成され、
前記ＵＥが存在するネットワークは、前記ＵＥからの受信されたアクティブ・モード・インジケーション、あるいは、前記ＵＥからの受信されたページ応答のうちの少なくとも１つによって識別される通信装置。
【請求項１６】
前記少なくとも１つのプロセッサは、前記データの一部が、前記ダウンリンク・データ・パケットである場合、
前記第１のネットワークおよび前記第２のネットワークにおいて前記ＵＥをページすることと、
前記第１のネットワークまたは前記第２のネットワークのうちの１つに存在するＵＥから、前記ページ応答を受信することと、
前記ページ応答が受信されたネットワーク内のＵＥへ、前記ダウンリンク・データ・パケットを送信することと
を提供するように構成された請求項１５に記載の通信装置。
【請求項１７】
前記少なくとも１つのプロセッサは、前記データの一部が前記アップリンク・データ・パケットである場合、
前記第１のネットワークまたは前記第２のネットワークのうちの１つに存在するＵＥから、前記アクティブ・モード・インジケーションを受信することと、
前記アクティブ・モード・インジケーションが受信されたネットワーク内のＵＥと通信することと
を提供するように構成された請求項１５に記載の通信装置。
【請求項１８】
前記第１のネットワークは、３Ｇネットワークであり、前記第２のネットワークは、ＣＤＭＡ２０００ネットワークである請求項１５に記載の通信装置。
【請求項１９】
前記第１のネットワークおよび前記第２のネットワークは、３Ｇネットワーク、ＣＤＭＡ２０００ネットワーク、およびＵＭＴＳネットワークの組み合わせである請求項１５に記載の通信装置。
【請求項２０】
前記少なくとも１つのプロセッサは、前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックするようにさらに構成された請求項１５に記載の通信装置。
【請求項２１】
前記少なくとも１つのプロセッサは、前記アクティブ・モード・インジケーションまたは前記ページ応答のうちの少なくとも１つを受信することに基づいて、プロキシ・バインディング更新（ＰＢＵ）を前記ホーム・エージェントへ送信するようにさらに構成された請求項１５に記載の通信装置。
【請求項２２】
前記ＰＢＵは、前記ＵＥが存在しないネットワークに関するＰＭＩＰ登録を削除する請求項２１に記載の通信装置。
【請求項２３】
前記少なくとも１つのプロセッサは、前記ＵＥからアイドル・モード・インジケーションを受信することに基づいて、前記ホーム・エージェントへＰＢＵを送信するようにさらに構成された請求項２２に記載の通信装置。
【請求項２４】
前記ＰＢＵは、前記ＵＥが存在しないネットワークに関するＰＭＩＰ登録を追加する請求項２３に記載の通信装置。
【請求項２５】
前記第１のネットワークおよび前記第２のネットワークは、３ＧＰＰアクセス・ネットワークあるいは非３ＧＰＰアクセス・ネットワークのうちの少なくとも１つである請求項１５に記載の通信装置。
【請求項２６】
前記ＰＭＩＰプロトコルは、ゲートウェイと前記ホーム・エージェントとの間で有効である請求項２５に記載の通信装置。
【請求項２７】
３ＧＰＰパケット・データ・ネットワーク・ゲートウェイ（ＰＤＮ  ＧＷ）にＰＭＩＰホーム・エージェントが含まれる請求項２６に記載の通信装置。
【請求項２８】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項２７に記載の通信装置。
【請求項２９】
２またはそれ以上のネットワーク間での複数のアドレス・アクセスを可能にする無線通信装置であって、
ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせる手段と、
前記第１のネットワークの登録を維持しながら、前記ホーム・エージェントへのＰＭＩＰ登録を用いて、前記ＵＥを第２のネットワークへアタッチさせる手段と、
前記ホーム・エージェントへのＰＭＩＰ登録が期限切れになっているか否か、および、前記ＵＥが、新たな非登録トラッキング・エリアを受信するエリアへ移動したことを検出するか否か、を判定する手段と、
前記ＰＭＩＰ登録が期限切れになっておらず、かつ、前記ＵＥが新たな非登録トラッキング・エリアを受信するエリアへ移動したことを検出しなければ、再登録を実行することなく、前記ＵＥが、前記第１のネットワークと前記第２のネットワークとの間で、シグナリングが生成されないモードであるアイドル・モードで移動できるようにする手段と、
前記ＵＥへ向けられたダウンリンク・データ・パケット、あるいは、前記ＵＥからのアップリンク・データ・パケットのうちの少なくとも１つであるデータの一部を受信する手段と、
前記第１のネットワークまたは前記第２のネットワークのうちの１つに存在する前記ＵＥへ、前記データの一部を送信する手段とを備え、
前記ＵＥが存在するネットワークは、前記ＵＥからの受信されたアクティブ・モード・インジケーション、あるいは、前記ＵＥからの受信されたページ応答のうちの少なくとも１つによって識別される無線通信装置。
【請求項３０】
機械に結合されているときにコンピューティング機械を制御する装置で、無線通信ネットワーク中で前記コンピューティング機械を制御するための装置であり、かつ、２またはそれ以上のネットワーク間での複数のアドレス・アクセスを可能にすることを容易にするように動作可能な装置であって、
前記装置は、
前記装置が前記機械に結合されているときに、前記機械に対して、ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせるように制御する手段と、
前記装置が前記機械に結合されているときに、前記機械に対して、前記第１のネットワークの登録を維持しながら、前記ホーム・エージェントへのＰＭＩＰ登録を用いて、前記ＵＥを第２のネットワークへアタッチさせるように制御する手段と、
前記装置が前記機械に結合されているときに、前記機械に対して、前記ホーム・エージェントへのＰＭＩＰ登録が期限切れになっているか否か、および、前記ＵＥが、新たな非登録トラッキング・エリアを受信するエリアへ移動したことを検出するか否か、を判定するように制御する手段と、
前記装置が前記機械に結合されているときに、前記機械に対して、前記ＰＭＩＰ登録が期限切れになっておらず、かつ、前記ＵＥが新たな非登録トラッキング・エリアを受信するエリアへ移動したことを検出しなければ、再登録を実行することなく、前記ＵＥが、前記第１のネットワークと前記第２のネットワークとの間で、シグナリングが生成されないモードであるアイドル・モードで移動できるように制御する手段と、
前記装置が前記機械に結合されているときに、前記機械に対して、前記ＵＥへ向けられたダウンリンク・データ・パケット、あるいは、前記ＵＥからのアップリンク・データ・パケットのうちの少なくとも１つであるデータの一部を受信するように制御する手段と、
前記装置が前記機械に結合されているときに、前記機械に対して、前記第１のネットワークまたは前記第２のネットワークのうちの１つに存在する前記ＵＥへ、前記データの一部を送信するように制御する手段とを備え、
前記ＵＥが存在するネットワークは、前記ＵＥからの受信されたアクティブ・モード・インジケーション、あるいは、前記ＵＥからの受信されたページ応答のうちの少なくとも１つによって識別される装置。
【請求項３１】
前記データの一部が、前記ダウンリンク・データ・パケットである場合さらに、
前記装置が前記機械に結合されているときに、前記機械に対して、前記第１のネットワークおよび前記第２のネットワークにおいて前記ＵＥをページするように制御する手段と、
前記装置が前記機械に結合されているときに、前記機械に対して、前記第１のネットワークまたは前記第２のネットワークのうちの１つに存在するＵＥから、前記ページ応答を受信するように制御する手段と、
前記装置が前記機械に結合されているときに、前記機械に対して、前記ページ応答が受信されたネットワーク内のＵＥへ、前記ダウンリンク・データ・パケットを送信するように制御する手段と
を備える請求項３０に記載の装置。
【請求項３２】
前記データの一部が前記アップリンク・データ・パケットである場合さらに、
前記装置が前記機械に結合されているときに、前記機械に対して、前記第１のネットワークまたは前記第２のネットワークのうちの１つに存在するＵＥから、前記アクティブ・モード・インジケーションを受信するように制御する手段と、
前記装置が前記機械に結合されているときに、前記機械に対して、前記アクティブ・モード・インジケーションが受信されたネットワーク内のＵＥと通信するように制御する手段と
を備える請求項３０に記載の装置。
【請求項３３】
前記第１のネットワークは、３Ｇネットワークであり、前記第２のネットワークは、ＣＤＭＡ２０００ネットワークである請求項３０に記載の装置。
【請求項３４】
前記第１のネットワークおよび前記第２のネットワークは、３Ｇネットワーク、ＣＤＭＡ２０００ネットワーク、およびＵＭＴＳネットワークの組み合わせである請求項３０に記載の装置。
【請求項３５】
前記装置が前記機械に結合されているときに、前記機械に対して、前記第１のネットワークおよび前記第２のネットワークへの前記ＵＥのアタッチメント、および、前記ホーム・エージェントへの登録に基づいて、追加のシグナリングなしで、前記第１のネットワークまたは前記第２のネットワークのうちの少なくとも１つ内でアイドル・モードにある前記ＵＥを、全体にわたってトラックするように制御する手段をさらに備える請求項３０に記載の装置。
【請求項３６】
前記装置が前記機械に結合されているときに、前記機械に対して、前記アクティブ・モード・インジケーションまたは前記ページ応答のうちの少なくとも１つを受信することに基づいて、プロキシ・バインディング更新（ＰＢＵ）を前記ホーム・エージェントへ送信するように制御する手段をさらに備える請求項３０に記載の装置。
【請求項３７】
前記ＰＢＵは、前記ＵＥが存在しないネットワークに関するＰＭＩＰ登録を削除する請求項３６に記載の装置。
【請求項３８】
前記装置が前記機械に結合されているときに、前記機械に対して、前記ＵＥからアイドル・モード・インジケーションを受信することに基づいて、前記ホーム・エージェントへＰＢＵを送信するように制御する手段をさらに備える請求項３７に記載の装置。
【請求項３９】
前記ＰＢＵは、前記ＵＥが存在しないネットワークに関するＰＭＩＰ登録を追加する請求項３８に記載の装置。
【請求項４０】
前記第１のネットワークおよび前記第２のネットワークは、３ＧＰＰアクセス・ネットワークあるいは非３ＧＰＰアクセス・ネットワークのうちの少なくとも１つである請求項３０に記載の装置。
【請求項４１】
前記ＰＭＩＰプロトコルは、ゲートウェイと前記ホーム・エージェントとの間で有効である請求項４０に記載の装置。
【請求項４２】
３ＧＰＰパケット・データ・ネットワーク・ゲートウェイ（ＰＤＮ  ＧＷ）にＰＭＩＰホーム・エージェントが含まれる請求項４１に記載の装置。
【請求項４３】
前記ゲートウェイは、３ＧＰＰサービス提供ゲートウェイ、非３ＧＰＰゲートウェイ、あるいはイボルブド・パケット・データ・ゲートウェイ（ｅＰＤＧ）のうちの少なくとも１つである請求項４２に記載の装置。
【請求項４４】
記録された非一時的なプログラムコードを有する非一時的なコンピュータ読取可能媒体であって、
前記プログラムコードは、
ユーザ機器（ＵＥ）に関連するホーム・エージェントへのプロキシ・モバイル・インターネット・プロトコル（ＰＭＩＰ）登録を用いて、前記ＵＥを、第１のネットワークへアタッチさせるプログラムコードと、
前記第１のネットワークの登録を維持しながら、前記ホーム・エージェントへのＰＭＩＰ登録を用いて、前記ＵＥを第２のネットワークへアタッチさせるプログラムコードと、
前記ホーム・エージェントへのＰＭＩＰ登録が期限切れになっているか否か、および、前記ＵＥが、新たな非登録トラッキング・エリアを受信するエリアへ移動したことを検出するか否か、を判定するプログラムコードと、
前記ＰＭＩＰ登録が期限切れになっておらず、かつ、前記ＵＥが新たな非登録トラッキング・エリアを受信するエリアへ移動したことを検出しなければ、再登録を実行することなく、前記ＵＥが、前記第１のネットワークと前記第２のネットワークとの間で、シグナリングが生成されないモードであるアイドル・モードで移動できるようにするプログラムコードと、
前記ＵＥへ向けられたダウンリンク・データ・パケット、あるいは、前記ＵＥからのアップリンク・データ・パケットのうちの少なくとも１つであるデータの一部を受信するプログラムコードと、
前記第１のネットワークまたは前記第２のネットワークのうちの１つに存在する前記ＵＥへ、前記データの一部を送信するプログラムコードとを備え、
前記ＵＥが存在するネットワークは、前記ＵＥからの受信されたアクティブ・モード・インジケーション、あるいは、前記ＵＥからの受信されたページ応答のうちの少なくとも１つによって識別される非一時的なコンピュータ読取可能媒体。